(57)【要約】【課題】ＪＢＩＧ方式にて符号化した画データをＧ３ファクシミリにより送信する場合に処理ライン数をＢＩＨヘッダにて宣言できない場合があるという問題と、インターネットファクシミリにより送信する場合に、通常のＰＣのビューア等ではＮＥＷＬＥＮマーカの方式がサポートされていない場合が多いことからＮＥＷＬＥＮマーカにて処理ライン数を宣言することが困難であるという問題を同時に解決する手段を提供する。【解決手段】ＪＢＩＧ方式による符号化画データをＧ３ファクシミリにより送信する場合には、前記画データの処理ライン数ＸをＮＥＷＬＥＮマーカ２１ａにより宣言し、前記画データをインターネットファクシミリにより送信する場合には、前記画データの処理ライン数ＸをＢＩＨヘッダ２０により宣言するインターネットファクシミリ装置。【選択図】　　　図３
2004015691.tif 000002
【特許請求の範囲】
【請求項１】
ＪＢＩＧ方式にて符号化した画データをＧ３ファクシミリにより送信する手段と、前記画データをインターネットファクシミリにより送信する手段と、を備えるインターネットファクシミリ装置であって、前記画データをＧ３ファクシミリにより送信する場合には、前記画データの処理ライン数をＮＥＷＬＥＮマーカにより宣言し、前記画データをインターネットファクシミリにより送信する場合には、前記画データの処理ライン数をＢＩＨヘッダにより宣言することを特徴とするインターネットファクシミリ装置。
【請求項２】
前記画データをＧ３ファクシミリにより送信する場合にあっては、送信開始時に送信する画データのデータサイズが確定しているか否かを判断し、確定している場合には、前記処理ライン数をＢＩＨヘッダにより宣言することを特徴とする請求項１記載のインターネットファクシミリ装置。
【請求項３】
前記画データをＧ３ファクシミリにより送信する場合にあっては、送信開始時に送信する画データの再変換の必要があるか否かを判断し、再変換する必要がないと判断した場合には、前記処理ライン数をＢＩＨヘッダにより宣言することを特徴とする請求項１記載のインターネットファクシミリ装置。
【請求項４】
ＪＢＩＧ方式にて符号化した画データをＧ３ファクシミリにより送信する手段と、前記画データをインターネットファクシミリにより送信する手段と、を備えるインターネットファクシミリ装置であって、送信相手先ごとにＮＥＷＬＥＮマーカ及びＢＩＨヘッダのうちの何れの手段により処理ライン数を宣言するかを登録する宣言手段登録手段を備え、該手段により登録された宣言手段に従ってＪＢＩＧ方式にて符号化した画データの処理ライン数を宣言することを特徴とするインターネットファクシミリ装置。
【発明の詳細な説明】
【０００１】
【発明の属する技術分野】
本発明は、Ｇ３ファクシミリ通信及びインターネットファクシミリ通信の双方の通信手段を備え、何れの通信手段によってもＪＢＩＧ方式により符号化した画データを送信することが可能なインターネットファクシミリ装置に関する。
【０００２】
【従来の技術】
近年、ＪＢＩＧ（Ｊｏｉｎｔ　Ｂｉ−ｌｅｖｅｌ　Ｉｍａｇｅ　ｅｘｐｅｒｔｓ　Ｇｒｏｕｐ）方式により符号化した画データをＧ３（ＩＴＵ−Ｔ（国際電気通信連合）勧告Ｔ．４のグループ３）ファクシミリやインターネットファクシミリにより送信するインターネットファクシミリ装置が普及しつつある。ＪＢＩＧ方式を利用することで、現在Ｇ３ファクシミリ通信に多用されているＭＭＲ（Ｍｏｄｉｆｉｅｄ　ＭＲ）方式等と比較して、高画質の原稿を短時間で送信することが可能となる。
【０００３】
ＩＴＵ−Ｔ（国際電気通信連合）勧告Ｔ．８５によれば、図４に示すように、ＪＢＩＧ符号全体（ＢＩＥ：Ｂｉ−ｌｅｖｅｌ　Ｉｍａｇｅ　Ｅｎｔｉｔｙ）１９は、各種ヘッダ情報からなるＢＩＨ（Ｂｉ−ｌｅｖｅｌ　Ｉｍａｇｅ　Ｈｅａｄｅｒ；以下「ＢＩＨヘッダ」という。）２０と、画データその他のデータからなるＢＩＤ（Ｂｉ−ｌｅｖｅｌ　Ｉｍａｇｅ　Ｄａｔａ）２１とから構成され、相手が画データの印刷、表示等の処理を行うために必要な１ページ当たりの処理ライン数Ｘが前記ＢＩＨヘッダ２０のパラメータにて、或いは前記ＢＩＤ２１の最後に付加され得るＮＥＷＬＥＮマーカ２１ａにて宣言される。
【０００４】
通常、前記インターネットファクシミリ装置がＪＢＩＧ方式にて符号化した画データ（ＢＩＤ）２１をインターネットファクシミリにより送信する場合は、送信する画データの１ページ毎の処理ライン数を算出し、ＢＩＨヘッダ２０に宣言する。また、ＪＢＩＧ方式にて符号化した画データ（ＢＩＤ）２１をＧ３ファクシミリによりメモリー送信（原稿の全ページをメモリーに読み込んだ後にダイヤルをして送信）する場合にも、同様に、送信する画データの１ページ毎の処理ライン数を算出し、前記ＢＩＨヘッダ２０に宣言する。
【０００５】
【発明が解決しようとする課題】
ところが、前記インターネットファクシミリ装置が、原稿の読み取りを行いつつ、原稿の読み取りが完了する前に読み取った部分の画データから順次送信するような送信（以下「スキャナ送信」という。）を行う場合には、各ページの読み取りが完了する前に各ページの正確な処理ライン数を決定することができないことから、ＢＩＨヘッダ２０にその処理ライン数を宣言することができなかった。
【０００６】
また、前記メモリー送信をする場合であっても、相手の受信能力に応じて原稿サイズを縮小して送信しなければならない場合には、原寸画データと処理ライン数が変わるために、ＢＩＨヘッダ２０に処理ライン数を宣言することができなかった。
【０００７】
一方、前述したように、ＢＩＨヘッダ２０において宣言した処理ライン数をＮＥＷＬＥＮマーカ２１ａにより宣言し直すことが可能であるが、インターネットファクシミリにより符号化画データを送信する相手は、ＮＥＷＬＥＮマーカ２１ａの方式がサポートされていないビューア（Ｖｉｅｗｅｒ：データ・ファイルの内容を表示するソフトウエア）しか持たないＰＣ（パーソナルコンピュータ）であることが多いことから、ＮＥＷＬＥＮマーカ２１ａを一律に採用することは困難であった。
【０００８】
本発明は、かかる課題に鑑みてなされたものであり、その目的とするところは、ファクシミリ通信機能及びインターネットファクシミリ通信機能を有するいわゆる複合機としてのインターネットファクシミリにおいて、ＪＢＩＧ方式にて符号化した画データをＧ３ファクシミリにより送信する場合に処理ライン数をＢＩＨヘッダにて宣言できない場合があるという問題と、インターネットファクシミリにより送信する場合に、通常のＰＣのビューア等ではＮＥＷＬＥＮマーカの方式がサポートされていない場合が多いことからＮＥＷＬＥＮマーカにて処理ライン数を宣言することが困難であるという問題を同時に解決するインターネットファクシミリ装置を提供することである。
【０００９】
【課題を解決するための手段】
上記目的を達成するために、請求項１記載のインターネットファクシミリ装置は、ＪＢＩＧ方式にて符号化した画データをＧ３ファクシミリにより送信する手段と、前記画データをインターネットファクシミリにより送信する手段と、を備えるインターネットファクシミリ装置であって、前記画データの処理ライン数を、Ｇ３ファクシミリにより前記画データを送信する場合には、ＮＥＷＬＥＮマーカにより宣言し、インターネットファクシミリにより前記画データを送信する場合には、ＢＩＨヘッダにより宣言することを特徴としている。
【００１０】
請求項２記載のインターネットファクシミリ装置は、請求項１記載のインターネットファクシミリ装置において、送信開始時に前記画データのデータサイズが確定しているか否かを判断し、確定している場合には、前記処理ライン数をＢＩＨヘッダにより宣言することを特徴としている。
【００１１】
請求項３記載のインターネットファクシミリ装置は、請求項１記載のインターネットファクシミリ装置において、送信開始時に送信する画データの再変換の必要があるか否かを判断し、再変換する必要がないと判断した場合には、前記処理ライン数をＢＩＨヘッダにより宣言することを特徴としている。
【００１２】
請求項４記載のインターネットファクシミリ装置は、ＪＢＩＧ方式にて符号化した画データをＧ３ファクシミリにより送信する手段と、前記画データをインターネットファクシミリにより送信する手段と、を備えるインターネットファクシミリ装置であって、送信相手先ごとにＮＥＷＬＥＮマーカ及びＢＩＨヘッダのうちの何れの手段により処理ライン数を宣言するかを登録する宣言手段登録手段を備え、該手段により登録された宣言手段に従ってＪＢＩＧ方式にて符号化した画データの処理ライン数を宣言することを特徴としている。
【００１３】
【発明の実施の形態】
以下、本発明の実施の形態に係るインターネットファクシミリ装置について図面に基づき説明する。図１にこのインターネットファクシミリ装置１の具体的な構成例を示す。該インターネットファクシミリ装置１は、ＣＰＵ（中央処理装置）２、ＲＡＭ（ランダムアクセスメモリー）３、ＲＯＭ（リードオンリーメモリー）４、コーデック５、モデム６、ＮＣＵ（ネットワークコントロールユニット）７、読取部８、記録部９、操作部１０及びＬＡＮＩ／Ｆ１１を備えたものであって、各装置２乃至１１は、通信可能にバス１２によって接続されている。
【００１４】
前記ＣＰＵ２は、所定のプログラムに従って、このインターネットファクシミリ装置１を構成する各部を制御する。
【００１５】
前記ＲＡＭ３は、画データ、ファクシミリ番号、メールアドレス、後述する短縮番号テーブル等を記憶する記憶部として、また、一時的に蓄積される諸データの記憶部として機能する。
【００１６】
前記ＲＯＭ４は、前記ＣＰＵ２によりこのインターネットファクシミリ装置１の各部の動作が制御されるための各種プログラムを記憶している。
【００１７】
前記コーデック５は、画データを送信のためにＪＢＩＧ方式により符号化し、受信した画データを復号する。また、コンピュータで使用される一般的に使われている画像フォーマットであるＴＩＦＦ（Ｔａｇｇｅｄ　　Ｉｍａｇｅ　　Ｆｉｌｅ　　Ｆｏｒｍａｔ）形式にも対応して画データを符号化、復号する。
【００１８】
前記モデム６は、例えばＩＴＵ−Ｔ（国際電気通信連合）の勧告Ｖ．３４規格又はこれと同様のものに従った送受信データの変調及び復調を行う。
【００１９】
前記ＮＣＵ７は、電話回線を制御して電話をかけたり、切ったりする回線網制御装置であり、ＰＳＴＮ（公衆交換電話網）１３に接続されている。
【００２０】
前記読取部８は、原稿の画像データを読み取って、白黒２値化した画データ等を出力する。
【００２１】
前記記録部９は、例えば電子写真方式のものからなり、受信した画データを記録紙上に記録する。例えば、前記読取部８で読み取られた原稿の画データやファクシミリ受信した画データを、前記ＣＰＵ２の指示により、印刷する。
【００２２】
前記操作部１０は、このインターネットファクシミリ装置１の状態に関する情報、各種操作指示画面等を表示するディスプレイ１０ａ、ファクシミリ番号等を入力するためのテンキー、原稿の読取り動作の開始を行うためのスタートキー、ディスプレイ１０ａ内の反転表示の移動などをするためのカーソルキー等を含む操作キー１０ｂを備えており、オペレータによる各種操作はこの操作部１０により行われる。
【００２３】
前記ＬＡＮＩ／Ｆ１１は、ＬＡＮ（ローカルエリアネットワーク）１４とのインターフェイスを備えており、このＬＡＮ１４とインターネットファクシミリ装置１とを通信可能に接続している。
【００２４】
上記構成を備えるインターネットファクシミリ装置１は、ＰＳＴＮ１３を通じてＪＢＩＧ方式にて符号化された画データを他のＧ３ファクシミリ装置（不図示）へ送信するＧ３ファクシミリ送信手段と、ＪＢＩＧ方式にて符号化された画データを添付した電子メールを生成し、メールサーバ１５、ルータ１６、インターネット１７等を通じて他のインターネットファクシミリ装置（不図示）へ送信するインターネットファクシミリ送信手段とを備える。
【００２５】
また、前記ＲＡＭ３の所定領域には、図２に示すような短縮番号テーブル１８が形成されている。該短縮番号テーブル１８は、登録された短縮番号を格納する「短縮番号」欄と、メールアドレス、ファクシミリ番号等の送信相手先を格納する「宛先」欄と、ＮＥＷＬＥＮマーカ及びＢＩＨヘッダのうちの何れの手段により処理ライン数を宣言するかを登録する「処理ライン数宣言手段」欄と、「宛先」欄に格納された相手先の受信能力（解像度、受信可能紙サイズ等）を登録する「受信能力」欄とからなる。
【００２６】
以下、前記インターネットファクシミリ装置１が送信に際してＪＢＩＧ方式により画データを符号化するときの動作ついて、図３に示すフローチャートに基づき説明する。なお、このフローチャートに基づき説明するインターネットファクシミリ装置１の動作は、ＲＯＭ４に記憶されている制御プログラムに基づきＣＰＵ２の発行する命令に従って実行される。
【００２７】
まず、オペレータにより読取部８に原稿がセットされ、操作部１０から電話番号又はメールアドレスが直接又は短縮番号により入力され、オペレータが望む場合にはスキャナ送信（Ｇ３ファクシミリの場合）を行うべき指示が併せてなされ、スタートボタンが押下されるなど所定の送信操作が行われると（Ｓ１）、インターネットファクシミリ装置１は、指定された宛先（ファクシミリ番号又はメールアドレス）が、短縮番号テーブル１８の「宛先」欄に格納されたものであり、且つ、その宛先に関連付けて「処理ライン数宣言手段」欄に処理ライン数宣言手段が格納されているか否かを判断し（Ｓ２）、登録されている場合には、登録されている処理ライン数宣言手段、つまり、登録されているＢＩＨヘッダ又はＮＥＷＬＥＮマーカにより処理ライン数を宣言した符号化画データを生成して（Ｓ３）、これを送信する（Ｓ４）。
【００２８】
一方、前記Ｓ２で処理ライン数宣言手段の登録がなされていないと判断したときは、次いで、宛先がＧ３ファクシミリ端末であるかインターネットファクシミリ端末であるかを前記Ｓ１において指定された送信宛先の記述形式、すなわち、それがメールアドレスであるかファクシミリ番号であるかに基づいて判断し（Ｓ５）、インターネットファクシミリ端末である場合には、原稿を読み取り符号化し、１ページ毎にＢＩＨヘッダにより処理ライン数を宣言した画データを生成して（Ｓ６）、これを電子メールに添付してインターネットファクシミリにより送信する（Ｓ７）。
【００２９】
一方、前記Ｓ５で宛先がＧ３ファクシミリ端末であると判断したときは、送信する画データのデータサイズが送信開始時に確定しているか否か、換言すれば、スキャナ送信にて送信を行うか否かを、前記Ｓ１において、スキャナ送信すべき指示を受け付けていたか否かに基づき判断し（Ｓ８）、画データのデータサイズが確定していない（スキャナ送信を行う）と判断した場合には、原稿を読み取り符号化しながら送信し、ページ毎に符号化画データ（ＢＩＤ）の最後にＮＥＷＬＥＮマーカにより処理ライン数を宣言する（Ｓ９）。
【００３０】
また一方、前記Ｓ８で画データのデータサイズが確定している（メモリ送信を行う）と判断したときは、原稿を読み取って符号化し、ＲＡＭ３に蓄積する（Ｓ１０）。この時、前記Ｓ１において指定された送信宛先が前記短縮番号テーブル１８の「宛先」欄に登録されたものであって、当該宛先に関連付けて「受信能力」欄に相手先の受信能力が登録されている場合には、その受信能力に基づいて読み取り、符号化を行う。
【００３１】
次に、通信手順（ＣＣＩＴＴ勧告Ｔ．３０）を開始し（Ｓ１１）、通信手順上で得た宛先の受信能力と、前記Ｓ１０でＲＡＭ３に蓄積した画データのフォーマットを比較する。前者よりも後者が大きければ、再変換の必要があると判断して（Ｓ１２：ＹＥＳ）、符号化画データを宛先の受信能力に合わせて再変換しながら送信し、ページ毎にＢＩＤの最後にＮＥＷＬＷＥＮマーカにより処理ライン数を宣言する（Ｓ１３）。また、前者と後者が同じであるか、前者よりも後者が小さければ、再変換の必要がないと判断して（Ｓ１２：ＮＯ）、ページ毎にＢＩＨヘッダによりライン数を宣言した符号化画データを生成して（Ｓ１４）、これをＧ３ファクシミリによりメモリ送信する（Ｓ１５）。
【００３２】
【発明の効果】
以上の説明から明らかなように、請求項１記載のインターネットファクシミリ装置によれば、原稿の読み取りを行いつつ読み取った部分の画データから順次送信する、いわゆるスキャナ送信の場合や、送信中に相手の受信能力に応じて原稿サイズの変更等の画データの再変換を行う場合に、ＢＩＨヘッダにより処理ライン数を宣言することができないという問題と、通常のＰＣのビューア等ではＮＥＷＬＥＮマーカの方式がサポートされていない場合が多いことからＮＥＷＬＥＮマーカにて処理ライン数を宣言することが困難である場合があるという問題とが同時に解決される。
【００３３】
請求項２記載のインターネットファクシミリ装置によれば、送信開始時に送信する画データのデータサイズが確定している場合には、処理ライン数がＢＩＨヘッダにより宣言されるので、相手側はそのような場合に、ＮＥＷＬＥＮマーカで処理ライン数が宣言されたものより効率よく受信処理を行うことが可能な、ＢＩＨヘッダにより処理ライン数が宣言されたものを取得することができる。
【００３４】
請求項３記載のインターネットファクシミリ装置によれば、送信開始時に送信する画データの再変換を行う必要がない場合には、処理ライン数がＢＩＨヘッダにより宣言されるので、相手側はそのような場合に、ＮＥＷＬＥＮマーカで処理ライン数が宣言されたものより効率よく受信処理を行うことが可能な、ＢＩＨヘッダにより処理ライン数が宣言されたものを取得することができる。
【００３５】
請求項４記載のインターネットファクシミリ装置によれば、オペレータは、ＢＩＨヘッダとＮＥＷＬＥＮマーカのうち相手先に適した処理ライン数の宣言手段を通信手段（ファクシミリ又はインターネットファクシミリ）に拘わらず適用することができる。
【図面の簡単な説明】
【図１】本発明の実施の形態に係るインターネットファクシミリ装置の構成例を示した図である。
【図２】短縮番号テーブルの一例を示した図である。
【図３】本発明の実施の形態に係るインターネットファクシミリ装置が送信に際してＪＢＩＧ方式により画データを符号化するときの動作を示したフローチャートである。
【図４】処理ライン数、ＢＩＨヘッダ、ＮＥＷＬＥＮマーカ等の説明図である。
【符号の説明】
Ｘ　処理ライン数
１　インターネットファクシミリ装置
２　ＣＰＵ
３　ＲＡＭ
４　ＲＯＭ
１８　短縮番号テーブル（宣言手段登録手段）
２０　ＢＩＨヘッダ
２１ａ　ＮＥＷＬＥＮマーカ
【図１】
2004015691.tif 000003
【図２】
2004015691.tif 000004
【図３】
2004015691.tif 000005
【図４】
2004015691.tif 000006